(57)【要約】【課題】伝票類を簡単に確実に保持でき、取扱い容易で、損傷し難く、耐久性に優れ、複数の伝票類を保持でき、長期使用でも保持性能が低下せず、構成部品が少なく、構成が簡素で、組立が簡単で、製造コストを低減でき、製品単価が低く、経済的な伝票類用ホルダーを提供する。【解決手段】ホルダー基板１と、立上片３と、ホルダー基板１に対して差込み空間を隔てて対峙する保持用基片４と、保持用基片４の下面に突設する適数の挟持上突片５と、ホルダー基板１の上面より上方に突設する適数の挟持下突片８とを有し、挟持上突片５と挟持下突片８は、頂部相互が互いに他を越えるよう形成し、伝票類１０は、挟持上突片５と挟持下突片８の頂部で上下から圧迫して、ホルダー基板１の幅方向に於いて略波形状とし、ホルダー基板１の上面がわに取外し可能に保持できるよう構成する。【選択図】図１
2005271344.tif 000002
【特許請求の範囲】
【請求項１】
飲食店等に於ける伝票類を保持するためのホルダーであって、その上面がわに伝票類が保持されるホルダー基板と、ホルダー基板の上面の長さ方向一端寄りに立設される立上片と、この立上片の上端縁に連設されると共に、ホルダー基板に対して差込み空間を隔てて対峙される保持用基片と、保持用基片の下面に下方に向って突設される適数の挟持上突片と、ホルダー基板の上面より上方に突出する適数の挟持下突片とを有し、前記挟持上突片と挟持下突片は、ホルダー基板の長さ方向に沿うように配されると共に、その頂部相互が互いに他を越えるように形成され、伝票類は、前記挟持上突片と挟持下突片の頂部で上下から圧迫されると共に、ホルダー基板の幅方向に於いて略波形状となることで、ホルダー基板の上面がわに取外し可能に保持されるよう構成したことを特徴とする伝票類用ホルダー。
【請求項２】
飲食店等に於ける伝票類を保持するためのホルダーであって、その上面がわに伝票類が保持されるホルダー基板と、このホルダー基板の長さ方向一端寄りに設けられる開口部と、ホルダー基板の上面の長さ方向一端寄りに立設される立上片と、この立上片の上端縁に連設されると共に、開口部上方に配置されて、ホルダー基板に対して差込み空間を隔てて対峙される保持用基片と、ホルダー基板の下面開口部部分に配される固着板と、保持用基片の下面に下方に向って突設される適数の挟持上突片と、固着板の上面に上方に向って突設される適数の挟持下突片とを有し、前記挟持上突片は、ホルダー基板の長さ方向に沿うように配されると共に、その頂部がホルダー基板上面を越えて開口部内に位置するように形成され、前記挟持下突片は、ホルダー基板の長さ方向に沿うように配されると共に、その頂部がホルダー基板上面を越えて差込み空間内に位置するように形成され、伝票類は、前記挟持上突片と挟持下突片の頂部で上下から圧迫されると共に、ホルダー基板の幅方向に於いて略波形状となることで、ホルダー基板の上面がわに取外し可能に保持されるよう構成したことを特徴とする伝票類用ホルダー。
【請求項３】
前記挟持上突片は、ホルダー基板の幅方向に沿って複数配設し、前記挟持下突片は、隣設する挟持上突片の中間部分に配したことを特徴とする請求項１または請求項２記載の記載の伝票類用ホルダー。
【請求項４】
前記挟持上突片及び挟持下突片は、全体略円弧板状に形成され、その頂部から長さ方向他端寄り部分は、緩やかな傾斜縁となっていることを特徴とする請求項１または請求項２または請求項３記載の伝票類用ホルダー。
【発明の詳細な説明】
【技術分野】
【０００１】
本発明は、主に、飲食店等で利用される注文伝票等の伝票類を、簡単に且つ確実に保持できて、しかも、その構成が簡素となるように工夫した伝票類用ホルダーに関するものである。
【背景技術】
【０００２】
従来、この種の伝票類用ホルダーとしては、種々のものが提案されており、例えば、特許文献１に示すような伝票等の紙片類保持ボードや、特許文献２に示すような押え具等が開示されている。
【０００３】
そして、特許文献１の伝票等の紙片類保持ボードは、板状をした支持基板の表面に紙片類を粘着保持及び剥離自在な粘着性を有する粘着材層を設けたものである。
【０００４】
また、特許文献２の押え具は、相手面に適宜の手段により取付ける基材と、この基材の表面に水平の支点を介し上縁部を回動自在に取付けた揺動体と、この揺動体の裏面下縁側に上方に向うにつれ上記相手面に対する対向間隙が小さくなるように設けた押え部と、相手面にこの押え部を圧接するよう上記揺動体に付与した復帰回動性とから成るものである。
【０００５】
【特許文献１】実開平７−１８８７７号
【特許文献２】特開平７−２３２４９４号
【発明の開示】
【発明が解決しようとする課題】
【０００６】
ところが、前記特許文献１にあっては、粘着材層表面に伝票等を粘着保持させるため、複数の伝票等を保持することができない難点や、粘着材層表面が汚れると粘着性能が低下する等の難点があった。
また、前記特許文献２にあっては、構成部品が多く、その組立が面倒となると共に、コストの低減がし難く、製品単価が高くなる等の難点があった。
【課題を解決するための手段】
【０００７】
しかして、請求項１記載の伝票類用ホルダーにあっては、飲食店等に於ける伝票類１０を保持するためのホルダーであって、その上面がわに伝票類１０が保持されるホルダー基板１と、ホルダー基板１の上面の長さ方向一端寄りに立設される立上片３と、この立上片３の上端縁に連設されると共に、ホルダー基板１に対して差込み空間を隔てて対峙される保持用基片４と、保持用基片４の下面に下方に向って突設される適数の挟持上突片５と、ホルダー基板１の上面より上方に突出する適数の挟持下突片８とを有し、前記挟持上突片５と挟持下突片８は、ホルダー基板１の長さ方向に沿うように配されると共に、その頂部相互が互いに他を越えるように形成され、伝票類１０は、前記挟持上突片５と挟持下突片８の頂部で上下から圧迫されると共に、ホルダー基板１の幅方向に於いて略波形状となることで、ホルダー基板１の上面がわに取外し可能に保持されるよう構成する手段を採用した。
【０００８】
また、請求項２記載の伝票類用ホルダーにあっては、飲食店等に於ける伝票類１０を保持するためのホルダーであって、その上面がわに伝票類１０が保持されるホルダー基板１と、このホルダー基板１の長さ方向一端寄りに設けられる開口部２と、ホルダー基板１の上面の長さ方向一端寄りに立設される立上片３と、この立上片３の上端縁に連設されると共に、開口部２上方に配置されて、ホルダー基板１に対して差込み空間を隔てて対峙される保持用基片４と、ホルダー基板１の下面開口部２部分に配される固着板７と、保持用基片４の下面に下方に向って突設される適数の挟持上突片５と、固着板７の上面に上方に向って突設される適数の挟持下突片８とを有し、前記挟持上突片５は、ホルダー基板１の長さ方向に沿うように配されると共に、その頂部がホルダー基板１上面を越えて開口部２内に位置するように形成され、前記挟持下突片８は、ホルダー基板１の長さ方向に沿うように配されると共に、その頂部がホルダー基板１上面を越えて差込み空間内に位置するように形成され、伝票類１０は、前記挟持上突片５と挟持下突片８の頂部で上下から圧迫されると共に、ホルダー基板１の幅方向に於いて略波形状となることで、ホルダー基板１の上面がわに取外し可能に保持されるよう構成する手段を採用した。
【０００９】
更に、請求項３記載の伝票類用ホルダーにあっては、前記挟持上突片５は、ホルダー基板１の幅方向に沿って複数配設し、前記挟持下突片８は、隣設する挟持上突片５の中間部分に配する手段を採用した。
【００１０】
そして、請求項４記載の伝票類用ホルダーにあっては、前記挟持上突片５及び挟持下突片８は、全体略円弧板状に形成され、その頂部から長さ方向他端寄り部分は、緩やかな傾斜縁とする手段を採用した。
【発明の効果】
【００１１】
従って、本発明の請求項１記載の伝票類用ホルダーによれば、例えば、飲食店等で利用される注文伝票等の伝票類１０を、簡単に且つ確実に保持でき、取扱いが容易で、損傷し難く、耐久性の優れた伝票類用ホルダーとなる。
すなわち、伝票類１０をホルダー基板１上面に沿って差込み空間内に移動させるだけで簡単に保持することができるようになる。また、伝票類１０をホルダー基板１上面に沿って差込み空間から離れるように移動させるだけで取外せるようになる。
加えて、複数の伝票類１０を保持することができ、長期に使用してもその保持性能が低下する虞れがなく、しかも、構成部品が少なく、構成が簡素で、その組立が簡単に行え、製造コストを低減でき、製品単価を低くすることが可能で、経済的な伝票類用ホルダーとなる。
【００１２】
また、本発明の請求項２記載の伝票類用ホルダーによれば、例えば、飲食店等で利用される注文伝票等の伝票類１０を、簡単に且つ確実に保持でき、取扱いが容易で、損傷し難く、耐久性の優れた伝票類用ホルダーとなる。
すなわち、伝票類１０をホルダー基板１上面に沿って差込み空間内に移動させるだけで簡単に保持することができるようになる。また、伝票類１０をホルダー基板１上面に沿って差込み空間から離れるように移動させるだけで取外せるようになる。
加えて、複数の伝票類１０を保持することができ、長期に使用してもその保持性能が低下する虞れがなく、しかも、構成部品が少なく、構成が簡素で、その組立が簡単に行え、製造コストを低減でき、製品単価を低くすることが可能で、経済的な伝票類用ホルダーとなる。
【００１３】
特に、前記挟持上突片５は、ホルダー基板１の長さ方向に沿うように配されると共に、その頂部がホルダー基板１上面を越えて開口部２内に位置するように形成され、前記挟持下突片８は、ホルダー基板１の長さ方向に沿うように配されると共に、その頂部がホルダー基板１上面を越えて差込み空間内に位置するように形成され、伝票類１０は、前記挟持上突片５と挟持下突片８の頂部で上下から圧迫されると共に、ホルダー基板１の幅方向に於いて略波形状となることで、ホルダー基板１の上面がわに取外し可能に保持されるよう構成したので、伝票類１０が挟持上突片５と挟持下突片８の頂部で上下から圧迫されたとき、伝票類１０が比較的大きなうねりの略波形状となり、伝票類１０が不意の外力等によって簡単に脱落することがなく、その保持状態がより安定したものとなる。
【００１４】
更に、本発明の請求項３記載の伝票類用ホルダーによれば、伝票類１０が挟持上突片５と挟持下突片８の頂部で上下から圧迫されたとき、その保持状態がよりバランスの良く安定したものとなる。
【００１５】
そして、本発明の請求項４記載の伝票類用ホルダーによれば、伝票類１０をホルダー基板１上面に沿って差込み空間内に移動させて保持する際に、その抵抗が少なくて、保持動作がよりスムーズに行えるようになる。
【発明を実施するための最良の形態】
【００１６】
以下、本発明を図示例に基づいて説明すると、次の通りである。
本発明は、主に、飲食店等で利用される注文伝票等の伝票類１０を、簡単に且つ確実に保持できて、しかも、その構成が簡素となるようにしたものであって、その上面がわに伝票類１０が保持されるホルダー基板１と、ホルダー基板１の上面の長さ方向一端寄りに立設される立上片３と、この立上片３の上端縁に連設されると共に、ホルダー基板１に対して差込み空間を隔てて対峙される保持用基片４と、保持用基片４の下面に下方に向って突設される適数の挟持上突片５と、ホルダー基板１の上面より上方に突出する適数の挟持下突片８とを有するものである。
そして、前記挟持上突片５と挟持下突片８は、ホルダー基板１の長さ方向に沿うように配されると共に、その頂部相互が互いに他を越えるように形成され、伝票類１０は、前記挟持上突片５と挟持下突片８の頂部で上下から圧迫されると共に、ホルダー基板１の幅方向に於いて略波形状となることで、ホルダー基板１の上面がわに取外し可能に保持されるよう構成したものである。
【実施例】
【００１７】
また、図示例にあっては、その上面がわに伝票類１０が保持されるホルダー基板１と、このホルダー基板１の長さ方向一端寄りに設けられる開口部２と、ホルダー基板１の上面の長さ方向一端寄りに立設される立上片３と、この立上片３の上端縁に連設されると共に、開口部２上方に配置されて、ホルダー基板１に対して差込み空間を隔てて対峙される保持用基片４と、ホルダー基板１の下面開口部２部分に配される固着板７と、保持用基片４の下面に下方に向って突設される適数の挟持上突片５と、固着板７の上面に上方に向って突設される適数の挟持下突片８とを有したものとなっている。
そして、前記挟持上突片５は、ホルダー基板１の長さ方向に沿うように配されると共に、その頂部がホルダー基板１上面を越えて開口部２内に位置するように形成され、前記挟持下突片８は、ホルダー基板１の長さ方向に沿うように配されると共に、その頂部がホルダー基板１上面を越えて差込み空間内に位置するように形成され、伝票類１０は、前記挟持上突片５と挟持下突片８の頂部で上下から圧迫されると共に、ホルダー基板１の幅方向に於いて略波形状となることで、ホルダー基板１の上面がわに取外し可能に保持されるよう構成されている。
【００１８】
前記ホルダー基板１は、例えば、適宜合成樹脂材によって略矩形板状に形成されており、その長さ方向一端寄りには、例えば、略偏平五角形状の開口部２が穿設され、更に、開口部２の長さ方向一端がわには、例えば、略円形状の取付孔６が穿設されている。
【００１９】
前記立上片３は、例えば、適宜合成樹脂材によって略細長帯板状に形成されており、開口部２の長さ方向一端がわ開口縁部分に一体的に連設されている。
【００２０】
前記保持用基片４は、例えば、適宜合成樹脂材によって開口部２に略合致するような略偏平五角形状に形成されており、立上片３の上端縁部分に一体的に連設されている。
【００２１】
前記挟持上突片５は、例えば、適宜合成樹脂材によって略円弧板状に形成されており、保持用基片４の下面部分に一体的に連設されている。しかも、その頂部から長さ方向他端寄り部分は、緩やかな傾斜縁となっている。すなわち、伝票類１０をホルダー基板１上面に沿って差込み空間内に移動させて保持する際に、その抵抗が少なくて、保持動作がよりスムーズに行えるように形成されている。
また、挟持上突片５は、複数設けられており、例えば、保持用基片４の幅方向右寄りと左寄りに夫々２個（或いは、１個）宛配してある。
【００２２】
前記固着板７は、例えば、適宜合成樹脂材によって開口部２に合致するような略偏平五角形状に形成されており、ホルダー基板１下面の開口部２部分に接着されると共に、開口部２を閉塞するように形成されている。
【００２３】
前記挟持下突片８は、例えば、適宜合成樹脂材によって長さ方向一端がわ半分が略円弧板状で、長さ方向他端がわ半分が略細長矩形板状に形成され、固着板７の上面部分に一体的に連設されている。しかも、長さ方向一端がわ半分に於いて、その頂部から長さ方向他端寄り部分は、緩やかな傾斜縁となっている。すなわち、伝票類１０をホルダー基板１上面に沿って差込み空間内に移動させて保持する際に、その抵抗が少なくて、保持動作がよりスムーズに行えるように形成されている。
また、挟持下突片８は、例えば、固着板７の幅方向中央に１個配してある。
【００２４】
ところで、伝票類用ホルダーの具体的構成、形状、寸法、材質、ホルダー基板１の具体的構成、形状、寸法、材質、開口部２の具体的構成、形状、寸法、配設位置、立上片３の具体的構成、形状、寸法、材質、保持用基片４の具体的構成、形状、寸法、材質、挟持上突片５の具体的構成、形状、寸法、材質、数、配設位置、取付孔６の具体的構成、形状、寸法、数、配設位置、固着板７の具体的構成、形状、寸法、材質、挟持下突片８の具体的構成、形状、寸法、材質、数、配設位置等は、図示例のもの等に限定されることなく適宜自由に設定、変更できるものである。
【図面の簡単な説明】
【００２５】
【図１】本発明の伝票類用ホルダーを例示する斜視図である。
【図２】本発明の伝票類用ホルダーを例示する分解斜視図である。
【図３】本発明の伝票類用ホルダーを例示する部分縦断面図である。
【図４】本発明の伝票類用ホルダーを例示する部分縦断面図である。
【符号の説明】
【００２６】
１      ホルダー基板
２      開口部
３      立上片
４      保持用基片
５      挟持上突片
６      取付孔
７      固着板
８      挟持下突片
１０    伝票類
【図１】
2005271344.tif 000003
【図２】
2005271344.tif 000004
【図３】
2005271344.tif 000005
【図４】
2005271344.tif 000006